(57)【特許請求の範囲】
【請求項１】
筺体の底板上に配置される圧縮機と、前記底板上に配置されて前記筐体の背面及び左右両側面を形成する断面略コ字型の熱交換器と、この熱交換器の上部に配置される送風機とを備える空気調和装置の室外ユニットにおいて、
前記熱交換器の内側に、背板部及び左右の側板部を有して断面略コ字型に形成され、前記筺体内を前記熱交換器が配置される熱交換室と前記圧縮機が配置される機械室とに区分けする仕切り板を備え、この仕切り板の側板部の前端を前記熱交換器の管板に固定するとともに、この固定した側板部及び前記背板部に、前記熱交換室と前記機械室とを連通する開口部をそれぞれ形成し、
前記圧縮機の上方に、当該圧縮機及び前記送風機の動作を制御する制御ユニットを収容する電装箱を備え、この電装箱に前記機械室と連通する連通開口を設け、前記電装箱の一側面に、排気口が前記熱交換室に開口する排気ダクトを設けたことを特徴とする空気調和装置の室外ユニット。
【請求項２】
前記開口部は、上縁部の位置がそれぞれ前記圧縮機の電源ターミナルの高さ位置よりも低くなるように形成されていることを特徴とする請求項１に記載の空気調和装置の室外ユニット。
【請求項３】
前記仕切り板は、少なくとも一方の側板部が、前記管板から前記熱交換器の内側に向かうに連れて当該熱交換器の内面から離れるように傾斜して形成されていることを特徴とする請求項１または２に記載の空気調和装置の室外ユニット。
【請求項４】
前記仕切り板は、前記背板部の上部が傾斜面となるように屈曲されていることを特徴とする請求項１乃至３のいずれかに記載の空気調和装置の室外ユニット。
【発明の詳細な説明】
【技術分野】
【０００１】
本発明は、送風機によって熱交換器を通して側方から吸い込んだ空気を上方に吹き出す形式の空気調和装置の室外ユニットに関する。
【背景技術】
【０００２】
一般に、筺体の底板上に配置される圧縮機と、前記底板上に配置されて前記筐体の背面及び左右両側面を形成する断面略コ字型の熱交換器と、この熱交換器の上部に配置される送風機とを備える空気調和装置の室外ユニットが知られている（例えば、特許文献１参照）。この種の室外ユニットでは、圧縮機等の電動機器に直接雨滴がかかるのを防止するために、筺体内を熱交換室と機械室とに区分けする仕切り板を設け、この機械室に圧縮機を収容している。
【先行技術文献】
【特許文献】
【０００３】
【特許文献１】特開２００６−１８９１９６号公報
【発明の概要】
【発明が解決しようとする課題】
【０００４】
ところで、上記した室外ユニットでは、熱交換面積を確保しつつ、筺体の小型化が要請されている。このため、仕切り板を、背板部及び左右の側板部を有する断面略コ字型に形成して熱交換器の内側に配置し、側板部の前端を熱交換器の管板に固定する構成が模索されている。
しかし、上記した構成では、仕切り板の側板部が熱交換器に近接、かつ、対向して固定されるため、当該側板部に対向する部位の熱交換器の通風抵抗が上昇し、熱交換効率が低下するという問題が想定された。
本発明は、上述した事情に鑑みてなされたものであり、側板部に対向する部位の熱交換器の通風抵抗を低減し、熱交換効率の向上を図った空気調和装置の室外ユニットを提供することを目的とする。
【課題を解決するための手段】
【０００５】
上記目的を達成するために、本発明は、筺体の底板上に配置される圧縮機と、前記底板上に配置されて前記筐体の背面及び左右両側面を形成する断面略コ字型の熱交換器と、この熱交換器の上部に配置される送風機とを備える空気調和装置の室外ユニットにおいて、前記熱交換器の内側に、背板部及び左右の側板部を有して断面略コ字型に形成され、前記筺体内を前記熱交換器が配置される熱交換室と前記圧縮機が配置される機械室とに区分けする仕切り板を備え、この仕切り板の側板部の前端を前記熱交換器の管板に固定するとともに、この固定した側板部及び前記背板部に、前記熱交換室と前記機械室とを連通する開口部をそれぞれ形成し、前記圧縮機の上方に、当該圧縮機及び前記送風機の動作を制御する制御ユニットを収容する電装箱を備え、この電装箱に前記機械室と連通する連通開口を設け、前記電装箱の一側面に、排気口が前記熱交換室に開口する排気ダクトを設けたことを特徴とする。
【０００６】
この構成において、前記開口部は、上縁部の位置がそれぞれ前記圧縮機の電源ターミナルの高さ位置よりも低くなるように形成されていても良い。
【０００７】
また、前記仕切り板は、少なくとも一方の側板部が、前記管板から前記熱交換器の内側に向かうに連れて当該熱交換器の内面から離れるように傾斜して形成されていても良い。また、前記仕切り板は、前記背板部の上部が傾斜面となるように屈曲されていても良い。
【発明の効果】
【０００８】
本発明によれば、熱交換器の内側に、背板部及び左右の側板部を有して断面略コ字型に形成された仕切り板を備え、この仕切り板の側板部の前端を熱交換器の管板に固定するとともに、この固定した側板部及び前記背板部に、熱交換室と機械室とを連通する開口部をそれぞれ形成したため、これら開口部を通じて空気が通流することにより、側板部に対向する部位の熱交換器の通風抵抗を低減し、熱交換効率の向上を実現できる。
また、電装箱に機械室と連通する連通開口を設け、電装箱の一側面に、排気口が熱交換室に開口する排気ダクトを設けたので、室外ユニット内を下から上に向かって流れる空気（外気）や、その風速分布が熱交換器の上下方向に対して均一化され易くなり、室外ユニット内に流入した外気を整流して風量の低下を抑えることができる。また、電装箱においては、この電装箱内に空気を流し込むので、当該電装箱内の制御機器並びに電装箱内を効果的に冷却して、制御機器（部品）や電装箱内の温度上昇を少なく抑え、制御機器（部品）の所望の性能を確保することができる。
【図面の簡単な説明】
【０００９】
【図１】本発明の一実施の形態を示す空気調和装置の室外ユニットの外観斜視図である。
【図２】室外ユニットの側断面図である。
【図３】室外ユニットの内部構成を示す上面図である。
【図４】仕切り板を示す斜視図である。
【図５】仕切り板の設置状態を示す部分斜視図である。
【図６】空気の流れを説明する室外ユニットの斜視図である。
【発明を実施するための形態】
【００１０】
以下、図面を参照して本発明の実施形態について説明する。
本実施形態に係る空気調和装置は、室外ユニット１０と室内ユニット（図示せず）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１１】
図１は、室外ユニット１０の外観斜視図であり、図２は、室外ユニット１０を右側から見た側断面図である。室外ユニット１０は、略直方体箱形状のユニットケース（筐体）１１を備え、このユニットケース１１は、前後方向に延びる一対の脚部材１３、１３上に架け渡されて固定される底板１２と、この底板１２の４隅から鉛直方向に延びる支柱１４と、前面パネル１５とを有して構成される。
底板１２上には、後述する熱交換器２１が配置され、この熱交換器２１によってユニットケース１１の背面及び左右両側面が形成されている。また、熱交換器２１の上部には、室外ファン（送風機）２２と、この室外ファン２２の周囲にベルマウス２５とが配置され、このベルマウス２５の吹出開口２５Ａには、室外ファン２２への接触を防止するファンガード２６が配置されている。また、ベルマウス２５の周囲には、発泡スチロール等の断熱材を備えた化粧パネル２７が設けられている。
【００１２】
前面パネル１５は、上下に二分割された上パネル１５Ａと下パネル１５Ｂとを備え、これら上パネル１５Ａ及び下パネル１５Ｂは、前面側の支柱１４、１４間に架け渡されて固定されている。ユニットケース１１の前面側には、図２に示すように、圧縮機３０や、四方弁及び膨張弁といった弁体等の冷媒回路構成部品３２が配管接続されて収容される。これら冷媒回路構成部品３２の配管の一端側は、熱交換器２１を介して室内ユニットと配管接続され、当該冷媒回路構成部品３２の配管の他端側は室内ユニットに配管接続され、これにより、冷媒を循環する冷媒回路が構成される。
また、ユニットケース１１の前面側には、圧縮機３０等の上方に室外ユニット１０の各種機器を制御するための制御ユニットを収容した電装箱３４が配置されている。これにより、前面パネル１５を取り外すことによって、作業者が前面側から圧縮機３０や電装箱３４内の制御ユニット等のメンテナンス作業を容易に行うことができる。
【００１３】
室外ファン２２は、図２に示すように、熱交換器２１の上方に配置されるファンモーター２３と、このファンモーター２３の軸に取り付けられたプロペラファン２４とを備えて構成される。ユニットケース１１の幅方向に隣接する支柱１４，１４間には、熱交換器２１の上端に相当する位置で当該支柱１４，１４を連結する不図示の連結部材が設けられ、ファンモーター２３は、これら連結部材間に架け渡された支持フレーム１６に固定される。
ファンモーター２３によりプロペラファン２４が回転駆動されると、室外ユニット１０の周囲、より具体的には図２、３中矢印Ｘで示すように、ユニットケース１１の前面を除いた左側面側、背面側及び右側面側から外気がユニットケース１１内に吸い込まれ、このユニットケース１１の上面部に設けられたベルマウス２５の吹出開口２５Ａを通じて外に排出される。つまり、この室外ユニット１０は、上面から熱交換後の空気を吹き出す上面吹き出しタイプに構成されている。
【００１４】
ユニットケース１１の底板１２上には、図３に示すように、断面略コ字型に屈曲されて形成された熱交換器２１が配置され、この熱交換器２１は、ユニットケース１１の左側面から背面及び右側面に沿わせて配置され、この熱交換器２１の両端面には、それぞれ当該熱交換器２１内に連続蛇行曲げして配管された冷媒管を固定するための管板２１Ａが設けられている。
【００１５】
熱交換器２１で囲まれた内側には、上記した圧縮機３０や冷媒回路構成部品３２とともに冷媒回路の一部を構成するアキュムレータ３５、オイルセパレーター３６及びレシーバータンク３７が底板１２上に配置されている。また、アキュムレータ３５の上部中央には、フレーム１７が固定され、フレーム１７は、アキュムレータ３５の上端部から延びて、支柱１４，１４を連結する連結部材に固定され、アキュムレータ３５の揺動を防止している。
【００１６】
これらアキュムレータ３５、オイルセパレーター３６及びレシーバータンク３７は、冷媒または冷凍機油を一時的に貯留する圧力容器であり、メンテナンス頻度が低いものである。一方、上記した圧縮機３０や冷媒回路構成部品３２は、モーターやコイル等の電動要素を備えるため、メンテナンス頻度が高い。このため、本構成では、底板１２上から電装箱３４の下端部まで上方に延びる仕切り板３８を設け、この仕切り板３８によって、ユニットケース１１内が、図３に示すように、熱交換室３９と機械室４０とに区分けされている。機械室４０には、メンテナンス頻度の高い圧縮機３０や冷媒回路構成部品３２が収容され、熱交換室３９には、メンテナンス頻度の低い熱交換器２１、アキュムレータ３５、オイルセパレーター３６及びレシーバータンク３７が収容されている。
仕切り板３８は、途中までまっすぐ上方に延びた後に斜め前方に傾斜して屈曲され、その上端部がベルマウス２５の前面側に配置される電装箱３４に接続されている。このため、仕切り板３８により機械室４０に収容された各機器に直接雨滴がかかることが防止される。さらに、本実施形態では、仕切り板３８により、熱交換室３９と機械室４０とが区分けされることにより、ユニットケース１１の外部から進入した火種によって機械室４０内の各機器の燃焼を防止できる。さらに、圧縮機３０は、仕切り板３８で囲まれた機械室４０内に収容されることにより、圧縮機３０で発生する動作音が外部に漏れることを抑制できる。
【００１７】
次に、仕切り板について説明する。
図４は、仕切り板３８の示す外観斜視図であり、図５は、仕切り板３８の設置状態を示す部分斜視図である。
仕切り板３８は板金で形成されており、背板部６０と、この背板部６０の上縁に連結される上板部６１と、これら背板部６０及び上板部６１の左右の側縁にそれぞれ連結される左右の側板部６２，６３との４枚の板材を有し、それぞれの板が互いにねじ止め、或いは、溶接によって固定されて断面略コ字型に形成されている。これによって、複雑な形状の仕切り板３８は、プレス成型などによって形成するのに比べて低コストで製造することができる。
【００１８】
左右の側板部６２，６３は、この側板部６２，６３の前端をそれぞれユニットケース１１の外側に向けて略直角に折り曲げ、背板部６０と略平行に形成した第１取付部６２Ａ，６３Ａと、上記側板部６２，６３の下端をそれぞれユニットケース１１の内側に向けて略直角に折り曲げ、底板１２と略平行に形成した第２取付部６２Ｂ，６３Ｂとを備え、第１取付部６２Ａ，６３Ａを、熱交換器２１の管板２１Ａ，２１Ａにそれぞれ取り付けるとともに、第２取付部６２Ｂ，６３Ｂを底板１２に取り付けることで、仕切り板３８を介して、熱交換器２１をユニットケース１１に固定している。
この構成によれば、熱交換器２１を組付ける際に、仕切り板３８が熱交換器２１の位置を決定する位置決め部材として機能するため、組付け作業が容易となる。さらに、室外ユニット１０を輸送、運搬する場合に、熱交換器２１が仕切り板３８によって底板１２に固定されるため、この熱交換器２１の位置ずれを防止できる。
【００１９】
仕切り板３８の上板部６１は、図２に示すように、背板部６０の上縁から電装箱３４の下端部まで延びる傾斜面となるように配置されている。これによって、熱交換器２１を通じてユニットケース１１内に吸い込まれ、熱交換器２１の上方に配置された室外ファン２２から当該ユニットケース１１外に吹き出される空気は、仕切り板３８の背板部６０及び上板部６１の板面に沿って流れ、室外ファン２２に導かれるため、当該空気の流れが阻害されることがなく、熱交換室３９内の風の流れが良くなる。
また、上板部６１は、図４及び図５に示すように、上端部を前方に屈曲させて底板１２と略平行になるように設けられた保持部６１Ａを有し、この保持部６１Ａは、電装箱３４の底面と接して、この電装箱３４を支柱１４，１４に取り付ける際に、当該電装箱３４を高さ方向に保持する。また、上板部６１は、保持部６１Ａの左の側板部６２側を切欠いた切欠き部６１Ｂを備える。
【００２０】
また、上板部６１には、図５に示すように、点検用開口５３と、リード線引き出し孔５４とが形成されている。点検用開口５３は、通常はパネル５３Ａで覆われており、パネル５３Ａは、上板部６１に着脱自在に設けられている。点検用開口５３は、機械室４０側から熱交換室３９内を点検するための開口であり、これによって、ユニットケース１１の正面側からは、仕切り板３８及び電装箱３４で閉ざされる熱交換室３９内の点検を行う際に、点検用開口５３を覆うパネル５３Ａを取り外して、熱交換室３９内の点検を容易に行うことができる。
リード線引き出し孔５４には、ゴムキャップ５４Ａが嵌合され、ゴムキャップ５４Ａは割れ目を有し、ファンモーター２３に連結されるリード線がこの割れ目を通じて、機械室４０内に引き込まれる。これによって、リード線引き出し孔５４を通じて機械室４０に雨滴が侵入するのを防ぐことができるとともに、リード線がリード線引き出し孔５４の板金と接触するのを防止することができる。また、リード線は、上記した切欠き部６１Ｂを通じて電装箱３４内に接続されている。
【００２１】
ところで、上記した構成では、図３に示すように、仕切り板３８は、左右の側板部６２，６３がそれぞれ熱交換器２１に近接、かつ、対向して配置されるため、当該側板部６２，６３に対向する部位の熱交換器２１の通風抵抗が上昇し、熱交換器２１全体の熱交換効率が低下するという問題が生じうる。
本実施形態では、図４及び図５に示すように、左右の側板部６２，６３及び背板部６０には、各板部の下方に熱交換室３９と機械室４０とを連通する開口部６６，６７及び開口部６５がそれぞれ形成されている。
左右の側板部６２，６３に形成された開口部６６，６７は、側板部６２，６３が熱交換器２１の一部を覆うことを防止するものであり、開口部６６，６７を通じて熱交換器２１を通過した空気の一部が機械室４０に流入する。
また、背板部６０と底板１２との間に形成された開口部６５は、機械室４０に流入した空気を熱交換室３９に排出する。この開口部６５の開口面積は、上記した側板部６２，６３に形成された開口部６６，６７の開口面積の加算した値よりも大きく形成されることが望ましい。
【００２２】
室外ファン２２が運転されると、熱交換室３９内は負圧となることにより、熱交換器２１を通じて熱交換室３９内に空気が流入する。この場合、開口部６５の開口面積は、上記した側板部６２，６３に形成された開口部６６，６７の開口面積の加算した値よりも大きく形成されているため、機械室４０に流入した空気の流れが、開口部６５にて阻害されることはない。このため、開口部６６，６７を通じて、機械室４０に流入した空気は、スムーズに熱交換室３９に排出されることにより、側板部６２，６３に対向する部位の熱交換器２１の通風抵抗の上昇が抑制されるため、熱交換器２１を通過する風量を増大させ、熱交換器２１全体の熱交換効率の向上を図ることができる。
【００２３】
一方、開口部６５〜６７を形成することにより、機械室４０と熱交換室３９との水密性が低下するため、この開口部６５〜６７を大きくし過ぎるのは防水上問題が生じうる。このため、本実施形態では、図６に示すように、開口部６５〜６７は、それぞれの上縁部６５Ａ〜６７Ａが、いずれも圧縮機３０の電源ターミナル３０Ａよりも低い位置となるように形成されている。この構成によれば、雨水が開口部６５〜６７を通じて、機械室４０内に侵入した場合であっても、この雨水が直接、圧縮機３０の電源ターミナル３０Ａにかかることを防止することができる。
また、本実施形態では、背板部６０と底板１２の上面との間に機械室４０と熱交換室３９とを連通する開口部６５を形成しているため、この開口部６５を通じて、当該機械室４０及び熱交換室３９にそれぞれ配置された機器を接続する配管接続することができる。この構成によれば、配管接続を保持した状態で、仕切り板３８をとりはずすことができるため、特に熱交換室３９内の機器のメンテナンス作業性が向上する。
【００２４】
また、本実施形態では、左側の側板部６２は、図３に示すように、管板２１Ａから熱交換器２１の奥行き方向の内側に向かうに連れて、当該熱交換器２１の内面から徐々に離れるように斜めに傾斜して形成されている。これによれば、開口部６６の上方における左側の側板部６２と、熱交換器２１との間に隙間を設けることができるため、この側板部６２によって、熱交換器２１の一部が閉塞されることが防止され、熱交換器２１の伝熱面積を有効的に利用することができる。さらに、仕切り板３８の側板部６２を熱交換器２１の側面に対して斜めに設けているために、熱交換器２１を介してユニットケース１１内に吸い込まれる空気の流れの流れ方向は、仕切り板３８によって急激に変化させられることがなく、熱交換器２１の熱交換効率を損なうことがない。
【００２５】
電装箱３４は、図６に示すように、室外ユニット１０の各機器（例えば、圧縮機３０や室外ファン２２）の動作を制御する各制御機器（制御ユニット）７０を収容するものであり、電装箱３４の下面に、機械室４０と連通する連通開口７１が形成されている。この連通開口７１は、開口部６６の上方位置に設けられ、上板部６１の切欠き部６１Ｂに嵌っている。また、電装箱３４の右側面には、排気ダクト７２が設けられており、この排気ダクト７２の排気口（不図示）は、熱交換室３９に開口している。
この構成によれば、開口部６６，６７を通じて機械室４０に流入した空気の多くは、図６中に矢印Ｘ１で示すように、開口部６５を通じて熱交換室３９に排出されるが、上記した空気の一部は、図６中に矢印Ｘ２で示すように、機械室４０内を上昇し、連通開口７１を通じて電装箱３４内に流入し、排気ダクト７２を通じて熱交換室３９に排出される。このため、室外ユニット１０内を下から上に向かって流れる空気（外気）や、その風速分布が熱交換器２１の上下方向に対して均一化され易くなり、室外ユニット１０内に流入した外気を整流して風量の低下を抑えることができる。また、電装箱３４においては、図６中に矢印Ｘ２で示すように、この電装箱３４内に空気を流し込むので、当該電装箱３４内の制御機器７０並びに電装箱３４内を効果的に冷却して、制御機器（部品）７０や電装箱３４内の温度上昇を少なく抑え、制御機器（部品）７０の所望の性能を確保することができる。
【００２６】
以上説明したように、本実施形態によれば、ユニットケース１１の底板１２上に配置される圧縮機３０と、底板１２上に配置されてユニットケース１１の背面及び左右両側面を形成する断面略コ字型の熱交換器２１と、この熱交換器２１の上部に配置される室外ファン２２とを備える空気調和装置の室外ユニット１０において、熱交換器２１の内側に、背板部６０及び左右の側板部６２，６３を有して断面略コ字型に形成され、ユニットケース１１内を熱交換器２１が配置される熱交換室３９と圧縮機３０が配置される機械室４０とに区分けする仕切り板３８を備え、この仕切り板３８の左右の側板部６２，６３の前端を熱交換器２１の管板２１Ａにそれぞれ固定するとともに、この各側板部６２，６３及び背板部６０に、熱交換室３９と機械室４０とを連通する開口部６６，６７及び開口部６５をそれぞれ形成したため、これら開口部６５〜６７を通じて空気が通流することにより、側板部６２，６３に対向する部位の熱交換器２１の通風抵抗を低減し、通風量が増大されるため、熱交換効率の向上を実現できる。
【００２７】
また、本実施形態によれば、開口部６５〜６７は、これら開口部６５〜６７の各上縁部６５Ａ〜６７Ａの位置がそれぞれ圧縮機３０の電源ターミナル３０Ａの高さ位置よりも低くなるように形成されているため、雨水が開口部６５〜６７を通じて、機械室４０内に侵入した場合であっても、この雨水が直接、圧縮機３０の電源ターミナル３０Ａにかかることを防止することができる。
【００２８】
また、本実施形態によれば、圧縮機３０の上方に、当該圧縮機３０及び室外ファン２２の動作を制御する制御機器７０を収容する電装箱３４を備え、この電装箱３４に機械室４０と連通する連通開口７１を設けたため、開口部６６，６７を通じて機械室４０に流入した空気の一部を連通開口７１を通じて電装箱３４内に流入することができ、電装箱３４内の制御機器７０を効果的に冷却することができる。
【００２９】
また、本実施形態によれば、仕切り板３８は、一方の側板部６２が、管板２１Ａから熱交換器２１の内側に向かうに連れて当該熱交換器２１の内面から離れるように傾斜して形成されているため、開口部６６の上方における側板部６２と、熱交換器２１との間に隙間を設けることができるため、この側板部６２によって、熱交換器２１の一部が閉塞されることが防止され、熱交換器２１の伝熱面積を有効的に利用することができる。
【００３０】
また、本実施形態によれば、仕切り板３８の上部に配置される上板部６１は傾斜面となっているため、熱交換器２１から吸い込まれ、熱交換器２１の上方に配置された室外ファン２２から吹き出される、ユニットケース１１内の空気の流れ（旋回流）方向の断面積が急激に変化することがないため、熱交換器２１の熱交換効率を損ねることがない。
【００３１】
以上、本発明の一実施の形態について説明したが、本発明は、これに限定されるものではない。例えば、本実施形態では、仕切り板３８は、左右の側板部６２，６３の前端をそれぞれ熱交換器２１の管板２１Ａに固定しているが、ユニットケース１１の横幅が広く能力の大きな室外ユニットでは、一方の側板部の前端を熱交換器２１の管板２１Ａに固定し、他方の側板部は、底板に固定して熱交換器との間に大きなスペースを設けても良い。
また、本実施形態によれば、左側の側板部６２を管板２１Ａから熱交換器２１の内側に向かうに連れて当該熱交換器２１の内面から離れるように傾斜して形成したが、左右両方の側板部を傾斜させても良いことは勿論である。
また、本実施形態では、熱交換器２１は、断面略コ字形状に屈曲することにより一体に形成されるものであったが、ユニットケース１１の横幅が広く能力の大きな室外ユニットでは、例えば、断面略Ｌ字形状に形成された２つの熱交換器を、断面略コ字形状に対向配置しても良い。
【符号の説明】
【００３２】
１０  室外ユニット
１１  ユニットケース（筐体）
１２  底板
２１  熱交換器
２１Ａ  管板
２２  室外ファン（送風機）
３０  圧縮機
３０Ａ  電源ターミナル
３４  電装箱
３８  仕切り板
３９  熱交換室
４０  機械室
６０  背板部
６１  上板部
６２，６３  側板部
６５  開口部
６５Ａ  上縁部
６６，６７  開口部
６５Ａ，６７Ａ  上縁部
７０  制御機器（制御ユニット）
７１    連通開口
【図１】
0005919513.tif 000002
【図２】
0005919513.tif 000003
【図３】
0005919513.tif 000004
【図４】
0005919513.tif 000005
【図５】
0005919513.tif 000006
【図６】
0005919513.tif 000007